(57)【要約】      （修正有）【課題】天然石やガラス細工類の小さな装飾部材により、合理的で綺麗に装飾が施されたリースやクリスマスツリー、ブーケ、風水グッズといった各種オブジェ用の装飾体を提供する。【解決手段】天然石やガラス細工類の小さな装飾部材１に小孔が設けられ、小孔にワイヤー３が挿通されて成る１個の最小ベース部材が、複数個束ねられて１個の中間ベース部材６が形成され、その中間ベース部材６が更に複数個束ねられて１個のベース装飾体７が形成されており、ベース装飾体７が複数配置されて成るオブジェとして形成されている。【選択図】図２
0003139523.tif 000002
【実用新案登録請求の範囲】
【請求項１】
天然石やガラス細工類の小さな装飾部材に小孔が設けられ、前記小孔にワイヤーが挿通されて成る１個の最小ベース部材が、複数個束ねられて１個の中間ベース部材が形成され、その中間ベース部材が更に複数個束ねられて１個のベース装飾体が形成されており、前記ベース装飾体が複数配置されて成るオブジェとして形成されていることを特徴とする装飾体。
【請求項２】
天然石やガラス細工類の小さな装飾部材に小孔が設けられ、前記小孔にワイヤーが挿通されて成る１個の最小ベース部材が、複数個束ねられて１個の中間ベース部材が形成され、その中間ベース部材が更に複数個束ねられて１個のベース装飾体が形成されており、前記ベース装飾体がリング状に複数配置されて成るリースとして形成されていることを特徴とする装飾体。
【請求項３】
天然石やガラス細工類の小さな装飾部材に小孔が設けられ、前記小孔にワイヤーが挿通されて成る１個の最小ベース部材が、複数個束ねられて１個の中間ベース部材が形成され、その中間ベース部材が更に複数個束ねられて１個のベース装飾体が形成されており、前記ベース装飾体が錐体状に複数配置されて容体に収容されて成るクリスマスツリーとして形成されていることを特徴とする装飾体。
【請求項４】
天然石やガラス細工類の小さな装飾部材に小孔が設けられ、前記小孔にワイヤーが挿通されて成る１個の最小ベース部材が、複数個束ねられて１個の中間ベース部材が形成され、その中間ベース部材が更に複数個束ねられて１個のベース装飾体が形成されており、前記ベース装飾体が山形状に複数配置されて成るブーケとして形成されていることを特徴とする装飾体。
【請求項５】
天然石やガラス細工類の小さな装飾部材に小孔が設けられ、前記小孔にワイヤーが挿通されて成る１個の最小ベース部材が、複数個束ねられて１個の中間ベース部材が形成され、その中間ベース部材が更に複数個束ねられて１個のベース装飾体が形成されており、前記ベース装飾体が複数配置されて容体に収容されて成る風水のオブジェとして形成されていることを特徴とする装飾体。
【請求項６】
最小ベース部材のワイヤーに保護用ビーズが挿通され、その保護用ビーズが下端に配置される状態で当該ワイヤーが折り返されて巻き付けられていることを特徴とする、請求項１〜請求項５のいずれか１項に記載した装飾体。
【請求項７】
中間ベース部材は、複数の最小ベース部材の各ワイヤー同士が互いに巻き付けられて形成され、複数の前記中間ベース部材の各ワイヤーが束ねられ、その外周に金属繊維が巻装されてベース装飾体が形成されていることを特徴とする、請求項１〜請求項６のいずれか１項に記載した装飾体。
【請求項８】
ベース装飾体に、ＬＥＤ等の発光体が付設されていることを特徴とする、請求項１〜請求項７のいずれか１項に記載した装飾体。
【考案の詳細な説明】
【技術分野】
【０００１】
本考案は、装飾用のリースやクリスマスツリー、ブーケ、風水関連商品、その他の各種オブジェとして使用される装飾体の技術分野に関する。
【背景技術】
【０００２】
近年、リースやクリスマスツリー、ブーケ、風水グッズといったオブジェを、家庭や各種の店で使用することが増えてきている。
【０００３】
例えば、下記文献１に係る実用新案登録第３０７２７２４号公報には、造花のアートオブジェ本体に豆電球、又は光ファイバー等のライトを取り付け、本体の花芯又は一部から発光される花のアートオブジェが開示されている。
【特許文献１】実用新案登録第３０７２７２４号公報
【考案の開示】
【考案が解決しようとする課題】
【０００４】
前記文献１のアートオブジェは、そのアートオブジェ本体に豆電球、又は光ファイバー等のライトを取り付け、本体の花芯又は一部からの発光により、暗部でのより豪華な観賞用照明として楽しむことができる。
【０００５】
しかし、そのような花のアートオブジェは製作コストがかかる上、光の効果だけでは物足りない。昼夜を問わず、天然石やガラス細工類の小さな装飾部材により綺麗に装飾化されたリースやクリスマスツリー、ブーケ、風水といったオブジェはない。
【０００６】
したがって、本考案が解決しようとする課題は、天然石やガラス細工類の小さな装飾部材により、合理的で綺麗に装飾が施されたリースやクリスマスツリー、ブーケ、風水グッズといった各種オブジェ用の装飾体を提供することにある。
【課題を解決するための手段】
【０００７】
上記課題を解決するための手段として、請求項１記載の考案の装飾体は、  天然石やガラス細工類の小さな装飾部材１に小孔２が設けられ、前記小孔２にワイヤー３が挿通されて成る１個の最小ベース部材５が、複数個束ねられて１個の中間ベース部材６が形成され、その中間ベース部材６が更に複数個束ねられて１個のベース装飾体７が形成されており、前記ベース装飾体７が複数配置されて成るオブジェとして形成されていることを特徴とする。
【０００８】
請求項２記載の考案の装飾体は、天然石やガラス細工類の小さな装飾部材１に小孔２が設けられ、前記小孔２にワイヤー３が挿通されて成る１個の最小ベース部材５が、複数個束ねられて１個の中間ベース部材６が形成され、その中間ベース部材６が更に複数個束ねられて１個のベース装飾体７が形成されており、前記ベース装飾体７がリング状に複数配置されて成るリースＡとして形成されていることを特徴とする。
【０００９】
請求項３記載の考案の装飾体は、天然石やガラス細工類の小さな装飾部材１に小孔２が設けられ、前記小孔２にワイヤー３が挿通されて成る１個の最小ベース部材５が、複数個束ねられて１個の中間ベース部材６が形成され、その中間ベース部材６が更に複数個束ねられて１個のベース装飾体７が形成されており、前記ベース装飾体７が錐体状に複数配置されて容体９に収容されて成るクリスマスツリーＢとして形成されていることを特徴とする。
【００１０】
請求項４記載の考案の装飾体は、天然石やガラス細工類の小さな装飾部材１に小孔２が設けられ、前記小孔２にワイヤー３が挿通されて成る１個の最小ベース部材５が、複数個束ねられて１個の中間ベース部材６が形成され、その中間ベース部材６が更に複数個束ねられて１個のベース装飾体７が形成されており、前記ベース装飾体７が山形状に複数配置されて成るブーケＣとして形成されていることを特徴とする。
【００１１】
請求項５記載の考案の装飾体は、天然石やガラス細工類の小さな装飾部材１に小孔２が設けられ、前記小孔２にワイヤー３が挿通されて成る１個の最小ベース部材５が、複数個束ねられて１個の中間ベース部材６が形成され、その中間ベース部材６が更に複数個束ねられて１個のベース装飾体７が形成されており、前記ベース装飾体７が複数配置されて容体に収容されて成る風水のオブジェとして形成されていることを特徴とする装飾体。
【００１２】
請求項６記載の考案の装飾体は、前記最小ベース部材５のワイヤー３に保護用ビーズ４が挿通され、その保護用ビーズ４が下端に配置される状態で当該ワイヤー３が折り返されて巻き付けられていることを特徴とする。
【００１３】
請求項７記載の考案の装飾体は、前記中間ベース部材６が、複数の最小ベース部材５・・・の各ワイヤー３・・・同士が互いに巻き付けられて形成され、複数の前記中間ベース部材６・・・の各ワイヤー３・・・が束ねられ、その外周に金属繊維８が巻装されてベース装飾体７が形成されていることを特徴とする。
【００１４】
請求項８記載の考案の装飾体は、前記ベース装飾体７に、ＬＥＤ等の発光体が付設されていることを特徴とする。
【考案の効果】
【００１５】
請求項１〜８の本考案の装飾体は、天然石やガラス細工類の小さな装飾部材に小孔が設けられ、前記小孔にワイヤーが挿通されて成る１個の最小ベース部材が、複数個束ねられて１個の中間ベース部材が形成され、その中間ベース部材が更に複数個束ねられて１個のベース装飾体が形成されており、前記ベース装飾体が複数配置されて成るので、合理的で綺麗に装飾が施されたリースやクリスマスツリー、ブーケ、風水グッズといった各種オブジェが実現され、部屋の中の雰囲気を華やかで艶やかに簡単に演出できる優れた効果を奏するものである。
【考案を実施するための最良の形態】
【００１６】
本考案に係る装飾体の好適な実施形態を、以下図面にしたがって説明する。なお、本請求項１〜８記載の考案に関する実施の形態は共通しているので、以下のとおり一括して説明する。
【００１７】
本実施形態の装飾体は、最小ベース部材５の集合体である中間ベース部材６と、その中間ベース部材６の集合体であるベース装飾体７で形成されている。
【００１８】
最小ベース部材５は、図８に示したように、天然石やガラス細工類の小さな装飾部材１に小孔２が穿設されている。装飾部材１としては、その他ボタンやリボン、布、メッセージプレート、チェーン、ビーズ等が好適に使用される。前記装飾部材１の小孔２は、その装飾部材１自体を貫通して設けられている。当該小孔２に細い線材のワイヤー３が挿通されてねじられ、当該ワイヤー３が装飾部材１から分離しないように形成されている（図９）。
【００１９】
当該最小ベース部材５の下端に、傷つけない保護用のビーズ４が設けられている。前記ワイヤー３に保護用ビーズ４が挿通され、その保護用ビーズ４が下端に配置される状態で当該ワイヤー３が折り返されて巻き付けられている。
【００２０】
次に、図１０に示したような中間ベース部材６が形成される。この中間ベース部材６は、前記した１個の前記最小ベース部材５が、１２個〜１４個束ねられて１個の中間ベース部材６が形成されている。但し、最小ベース部材５の個数は、それに限定されるものではない。
【００２１】
図１に示した当該中間ベース部材６は、花びらの如く形成されているものである。
【００２２】
前記の中間ベース部材６は、図１１に示したように、更に３個束ねられて１個のベース装飾体７が形成されている。但し、中間ベース部材６の個数はその３個に限らず、適宜の数が束ねて使用される。当該ベース装飾体７が複数個、所望形状に配置されることによりオブジェとして完成される。具体的なオブジェとしては、リースやクリスマスツリー、ブーケ、風水グッズ等があるが、後述する。
【００２３】
なお、このベース装飾体７の複数のワイヤー３・・・は、前記中間ベース部材６において複数の最小ベース部材５・・・の各ワイヤー３・・・同士が互いにねじられ、巻き付けられて形成され、更に複数の中間ベース部材６・・・の各ワイヤー３・・・が束ねられて成るものである。
【００２４】
図２に示したベース装飾体７は、花びらのような中間ベース部材６（図１）が３個束ねられて大きな花として形成されているものである。
【００２５】
前記ようにして各中間ベース部材６の束ねられた複数のワイヤー３・・・の外周に、金属繊維８（フリーメタリコ）が巻装され、取り扱い易くなっている。但し、複数本のワイヤー３・・・を巻装するのは、前記の金属繊維８ではなく、紙やリボン等を利用する形態であってもよい。
【００２６】
また、このようにして成るベース装飾体７に、図示を省略したＬＥＤ等の発光体を付設する実施形態も採用可能であり、より一層装飾効果が高められる。
【００２７】
図３は、本実施形態の装飾体で構成されたリースを示している。
【００２８】
このリースＡは、上述したベース装飾体７が、リング状に複数配置されて形成されている。環状のリング体１３に、ベース装飾体７を複数取り付けて好適に実施される。
【００２９】
図４は、本実施形態の装飾体で構成されたクリスマスツリーを示している。
【００３０】
このクリスマスツリーＢは、複数のベース装飾体７・・・が、上部が尖った円錐等の錐体状に配置され、下方で束ねられたワイヤー３・・・が陶器等の容体９に収容されて形成されている。
【００３１】
図５は、本実施形態の装飾体で構成されたブーケを示している。
【００３２】
このブーケＣは、複数のベース装飾体７・・・が山形状に配置され、下方で束ねられたワイヤー３の外周を、包装紙１０やリボン１１を用いてラッピングして形成されている。
【００３３】
図６は、複数の中間ベース部材６の基端（ワーヤー）部分が、ステッキ状の棒体１２により延設され、その長い棒体１２・・・の外周が、紙や布、リボン等の包装体で巻かれて成るオブジェを示している。図示例のように前記包装体の表面にビーズ１４を設けて実施すると、より艶やかに演出できる。
【００３４】
図７は、複数の中間ベース部材６又はベース装飾体７が十字架状に形成された実施形態を示しており、当該装飾体は、このように所望の形状・模様に形成することができる。
【００３５】
さらに、前記複数のベース装飾体７・・が所望形状で容体に収容されて成る風水のオブジェとして実施する形態も好適に行われる（図示は省略）。
【図面の簡単な説明】
【００３６】
【図１】装飾体の中間ベース部材を示した全体図である。
【００３７】
【図２】装飾体のベース装飾体を示した全体図である。
【００３８】
【図３】ベース装飾体で形成されたリースを示した正面図である。
【００３９】
【図４】ベース装飾体で形成されたクリスマスツリーを示した正面図である。
【００４０】
【図５】ベース装飾体で形成されたブーケを示した正面図である。
【００４１】
【図６】異なるオブジェを示した正面図である。
【００４２】
【図７】クロススタイルのオブジェを示した正面図である。
【００４３】
【図８】装飾体の装飾部材を示した全体図である。
【００４４】
【図９】装飾体のベース装飾体を示した全体図である。
【００４５】
【図１０】装飾体の中間ベース部材を示した全体図である。
【００４６】
【図１１】装飾体のベース装飾体を下方から示した全体図である。
【符号の説明】
【００４７】
Ａ      リース
Ｂ      クリスマスツリー
Ｃ      ブーケ
１      装飾部材
２      小孔
３      ワイヤー
４      保護用ビーズ
５      最小ベース部材
６      中間ベース部材
７      ベース装飾体
８      金属繊維
９      容体
【図１】
0003139523.tif 000003
【図２】
0003139523.tif 000004
【図３】
0003139523.tif 000005
【図４】
0003139523.tif 000006
【図５】
0003139523.tif 000007
【図６】
0003139523.tif 000008
【図７】
0003139523.tif 000009
【図８】
0003139523.tif 000010
【図９】
0003139523.tif 000011
【図１０】
0003139523.tif 000012
【図１１】
0003139523.tif 000013